(57)【特許請求の範囲】
【請求項１】
被識別者の虹彩をカメラにより撮影して虹彩データを取得し、虹彩データとあらかじめ登録されている登録データとを照合して被識別者を認識する自動取引装置において、
虹彩撮影時に最大輝度色表示を行う表示部と、
上記表示部の最大輝度色表示と通常画面表示とを切り替える画像切替部と、
最大輝度色表示信号を上記画像切替部に出力する制御部とを設けたことを特徴とする自動取引装置。
【請求項２】
上記最大輝度色表示は、白画面表示である請求項１記載の自動取引装置。
【請求項３】
上記カメラは上記表示部の近傍に設けられた請求項１、または請求項２記載の自動取引装置。
【発明の詳細な説明】
【０００１】
【発明の属する技術分野】
本発明は、銀行や郵便局などの金融機関で使用され、入金、出金、振込などの取引きを自動的に行う自動取引装置に係り、特に自動取引装置に搭載され、利用者を認識する虹彩認識装置に関する。
【０００２】
【従来の技術】
従来、銀行や郵便局などの金融機関で使用され、入金、出金、振込などの取引処理を自動的に行う自動取引装置には、被識別者の虹彩をカメラにより撮影して虹彩データを取得し、虹彩データとあらかじめ登録されている登録データとを照合して被識別者を認識する虹彩認識装置を搭載したものがある。従来の虹彩認識装置については、例えば特公平５−０８４１６６号、Ｕ．Ｓ．ＰＡＴＥＮＴ  ５２９１６０に詳しく開示されてある。このような虹彩認識装置を搭載した自動取引装置の正面には、蛍光灯などの散乱光源が組み込まれている。虹彩認識装置には高感度のカメラが使用されるが、散乱光源は、このようなカメラにより高精度のアイリス（虹彩）画像が得られるように、被識別者の目に所定の輝度の光を当てるものである。
【０００３】
【発明が解決しようとする課題】
従来の自動取引装置にあっては、高精度のアイリス画像が得られるように、被識別者の目に所定の輝度の光を当てる散乱光源を組み込まなければならず、装置が大型化してしまうという問題点があった。
【０００４】
【課題を解決するための手段】
上記課題を解決するために、本発明の自動取引装置においては、虹彩撮影時に最大輝度色表示を行う表示部と、表示部の最大輝度色表示と通常画面表示とを切り替える画像切替部と、最大輝度色表示信号を画像切替部に出力する制御部とを設けた。
【０００５】
上記のように構成された自動取引装置の制御部が画像切替部に最大輝度色信号を出力すると、画像切替部が表示部の画面表示を通常画面表示から最大輝度色表示に切り替え、被識別者の目に所定の輝度の光を当てる。なお、最大輝度色表示とは、虹彩を撮影するカメラの受光感度が最大となる色をいう。
【０００６】
【発明の実施の形態】
本発明の実施の形態について図面を参照しながら説明する。なお、各図面に共通な要素には同一の符号を付す。図１は本発明の自動取引装置を示す説明図、図２は本発明の自動取引装置を示す斜視図、図３は本発明の自動取引装置の制御ブロック図である。図１、図２、図３において、ＡＴＭ（自動取引装置）１は、カード処理部２を有している。カード処理部２は、金融機関が発行したＩＤ（顧客認識）カード３に記憶された、金融機関ごとのコードや顧客の口座番号、氏名などの顧客情報を読み出す。
【０００７】
このカード処理部２の前面側に接続されたカード挿入返却口２ａからＩＤカード３の挿入、返却が行われる。通帳処理部４は、通帳挿入返却口４ａから挿入される通帳５に印字処理などを行う。また、通帳処理部４は、通帳５の表紙に設けられた磁気ストライプ内の記憶情報の読取り、更新、印字頁行の検出、改頁などを行う。貨幣処理部８は、紙幣入出金部９と硬貨入出金部１０とで構成される。紙幣入出金部９は、顧客により入金される紙幣を真偽鑑別、計数し、搬送して図示しない金種別保管金庫に収納し、また顧客に支払う紙幣を金種別保管金庫から繰り出す。
【０００８】
硬貨入出金部１０は、顧客により入金される硬貨を真偽鑑別、計数し、搬送して図示しない金種別保管金庫に収納し、また顧客に支払う硬貨を金種別保管金庫から繰り出す。この貨幣処理部８には、顧客が紙幣を投入する、また顧客に紙幣を支払う接客口９ａが結合される。また、顧客が硬貨を投入する、また顧客に硬貨を支払う接客口１０ａが結合される。なお、接客口９ａ、１０ａは、図示しない駆動手段によってそれぞれシャッタ９ｂ、１０ｂが動作して紙幣および硬貨の挿脱を規制している。
【０００９】
表示部１１は、顧客が操作入力を行ったり、また顧客に対して誘導表示を行うタッチパネルであり、後述する取引科目である“ご入金”や“お引出し”、または“お振込み”などを表示し、表示部１１に軽く触れることで取引が選択されるようになっている。この表示部１１は、画像切替部２４を介して制御部１８に接続されている。画像切替部２４は、表示部１１の最大輝度色表示である白画面表示と通常画面表示とを切り替えるものである。
【００１０】
音声案内部１２は、音声による操作案内を行うものであり、装置正面のスピーカ・マイクロホン１２ａとで構成されている。カメラ制御部１３は、顧客３３の目３３ａのアイリス（虹彩）を撮影するカメラ１３ａと、所定の角度範囲だけカメラの視野を移動させる図示せぬ機構とを制御する。画像処理部１４は、カメラ１３ａが撮影したアイリス画像の処理を行う。
【００１１】
記憶部１５は、各種の制御を行うプログラムが記憶されたＲＡＭ（ランダムアクセスメモリ）やＲＯＭ（リードオンリメモリ）、フロッピディスクなどで構成される。Ｉ／Ｆ（インタフェース）部１６は、ＡＴＭ１と上位装置であるホストコンピュータ２２との接続口である。接近探知機１７は、顧客３３がＡＴＭ１に近付いたことを超音波を用いて検知するもので、顧客３３などの被検出物までの距離や位置を割り出すことができる。
【００１２】
主制御部１８は、上述した各部を制御する。電源部１９は、上述した各部に電力を供給する。係員呼出ボタン２０は、これを顧客が押すことにより係員を呼び出して対話できるようになっている。Ｉ／Ｆ部１６は、通信回線２１によりホストコンピュータ２２に接続されている。ホストコンピュータ２２は、顧客ごとの口座番号や預金残高情報および後述する虹彩の画像データなどを記憶している顧客情報ファイルを格納した記憶装置２３を有している。
【００１３】
次に、本発明の主要部について図面を参照しながら説明する。図４は本発明の主要部を示す制御ブロック図、図５は画面切替動作を示すタイムチャートである。図４において、表示部１１は、画像切替部２４を介して主制御部１８に接続されている。また、主制御部１８と画像切替部２４間には、垂直・水平同期検出部４１が接続されている。
【００１４】
図５において、通常、主制御部１８から画像切替部２４に対しては、通常画像信号ａが出力されている。同時に垂直・水平同期検出部４１に対しても通常画像信号ａが出力されており、垂直・水平同期検出部４１は、この通常画像信号ａから垂直・水平同期信号ｂを得て画像切替部２４に出力する。このとき画像切替部２４の表示部１１に対する合成画面信号ｃは、通常画面出力となっている。
【００１５】
ここで、主制御部１８から画像切替部２４に対して通常画像信号ａとともに白画像表示信号ｄが出力されると、画像切替部２４から表示部１１に対する合成画面信号ｃは、画面信号ａに同期した白画面出力となる。この白画面出力により、表示部１１は、ＣＲＴを白画面にして顧客３３の目３３ａに光を当てる。主制御部１８は、その間にカメラ制御部１３に対してカメラ駆動信号を出力し、この信号に同期してカメラ制御部１３がカメラ１３ａを駆動してアイリスの撮影を行う。
【００１６】
上述したようなＡＴＭ１による虹彩認識動作について図面を参照しながら説明する。図６、図７、図８、図９は表示部の画面表示を示す説明図、図１０は本発明の虹彩認識動作を示すフローチャートである。図１０において、取引に先だって顧客３３がＡＴＭ１の前に近付くと、ステップ１で接近検出機１７により顧客３３がＡＴＭ１の所定の距離内に入ったことが検出される。これにより主制御部１８は、ステップ２で表示部１１に図６に示すような顧客誘導画面を表示し、取引選択入力を促す。次に主制御部１８は、ステップ３で画像処理部１４を介してカメラ制御部１３に撮影指示を出す。
【００１７】
カメラ制御部１３は、周囲の動画データを採取して数フレーム前の動画データと比較し、この動画データの変化に伴う部分を検知する。このような部分を検知して、その部分の形状と予め記憶されている人体の形状とを比較して人体の形状に近いか否かを識別し、人体の形状に近いと識別したときに『人体』と判定する。これにより主制御部１８は、ステップ４で顧客３３を取引対象と仮定する。画像処理部１３は、次に顧客３３の『顔』を抽出し、続いて『目』の位置を特定すると、主制御部１８にアイリスデータが取得可能であることを通知する。
【００１８】
一方、顧客３３が図６に示す表示画面から取引選択入力を行うと、主制御部１８はステップ５で図７に示すような表示をし、顧客３３にカメラ１３ａを見つめさせる。次に主制御部１８は、ステップ６で画像切替部２４に前述した白画像表示信号ｄを出力する。画像切替部２４は、この信号を受信して表示部１１の画面表示を、最大輝度色表示である白画面に切り替えて、顧客３３の目３３ａに所定の輝度の光を当てる。
【００１９】
主制御部１８は、画像処理部１３からアイリスデータ取得可能の通知を受けると、ステップ７で再び画像処理部１３を介してカメラ１３ａをズームアップし、顧客３３の虹彩を撮影する。このようにして撮影された顧客３３のアイリス画像は、ステップ８で画像処理部１４により画像処理される。主制御部１８は、この画像処理の結果、アイリスデータが取得できたか否かをステップ９で判定する。アイリスデータが取得できた場合は、ステップ１０でアイリスデータをホストコンピュータ２２に送信するとともに、ＡＴＭ１の記憶部１５内にも一時記憶する。
【００２０】
虹彩撮影時に顧客３３の目３３ａの位置が動いたなどして、正確なアイリス画像が得られず、アイリスデータの取得ができなかった場合は、ステップ１１でこのアイリスデータ取得動作が１回目であるか否かを判定する。一回目である場合は、ステップ１２で、図８に示すような表示画面とスピーカ・マイクロホン１２ａにより、再度虹彩の撮影を行うことを顧客３３に通知し、再びステップ６で画像切替部２４に白画像表示信号ｄを出力する。アイリスデータ取得動作が２回目である場合は、ステップ１３で、アイリスデータが取得不可能である旨を表示部１１により顧客３３に表示し、認識処理を中止する。
【００２１】
金融機関が発行したＩＤカード３が顧客３３によりカード挿入返却口２ａから挿入されると、そのＩＤ番号がホストコンピュータ２２に通知され、ホストコンピュータ２２は、記憶装置２３の顧客情報ファイルから対応する登録データを得る。次に、ステップ１４でＡＴＭ１からホストコンピュータ２２に転送されたアイリスデータと登録データとの照合が行われる。
【００２２】
照合の結果、ステップ１５で本人と認識された場合は、ＡＴＭ１は顧客３３の氏名、口座番号などを、ステップ１６で図９に示すように接客部１１に表示する。本人と認識されなかった場合は、ステップ１７でその旨を表示部１１により顧客３３に表示して認識処理を中止する。主制御部１８は、ステップ１８で各取引画面を表示し、顧客は、接客部１１のタッチパネル１１ａやスピーカ・マイクロホン１２ａの指示に従いながら、順に自動取引を行う。
【００２３】
このように虹彩撮影時に白画面表示を行う表示部１１と、表示部１１の白画面表示と通常画面表示とを切り替える画像切替部２４と、白画像表示信号ｄを画像切替部２４に出力する主制御部１８とを設けたことにより、白画面表示の表示部１１により被識別者の目に所定の輝度の光を当てることができるので、散乱光源を装置に組み込む必要がなくなり、装置の小形化が可能となる。なお、本発明は、上述した実施の形態に限定されない。すなわち、虹彩撮影時の表示色はカメラの受光感度が最大となる色であればよく、例えば赤外線カメラであれば赤色表示とするのがよい。
【００２４】
【発明の効果】
本発明は、以上説明したように構成されているので、以下に記載するような効果を奏する。
【００２５】
すなわち、虹彩撮影時に白画面表示を行う表示部と、表示部の白画面表示と通常画面表示とを切り替える画像切替部と、白画像表示信号を画像切替部に出力する制御部とを設けたことにより、散乱光源を装置に組み込む必要がなくなり、装置の小形化が可能となる。
【図面の簡単な説明】
【図１】本発明の自動取引装置を示す説明図である。
【図２】本発明の自動取引装置を示す斜視図である。
【図３】本発明の自動取引装置の制御ブロック図である。
【図４】本発明の主要部を示す制御ブロック図である。
【図５】画面切替動作を示すタイムチャートである。
【図６】表示部の画面表示を示す説明図である。
【図７】表示部の画面表示を示す説明図である。
【図８】表示部の画面表示を示す説明図である。
【図９】表示部の画面表示を示す説明図である。
【図１０】本発明の虹彩認識動作を示すフローチャートである。
【符号の説明】
１    ＡＴＭ
１１    表示部
１３ａ    カメラ
１８    主制御部
２４    画像切替部
３３    顧客
【図１】
0003580634.tif 000002
【図２】
0003580634.tif 000003
【図３】
0003580634.tif 000004
【図４】
0003580634.tif 000005
【図５】
0003580634.tif 000006
【図６】
0003580634.tif 000007
【図７】
0003580634.tif 000008
【図８】
0003580634.tif 000009
【図９】
0003580634.tif 000010
【図１０】
0003580634.tif 000011